(57)【要約】【課題】磁性体壁面に磁気的吸引力で取り付ける壁掛けフックにおいて、前記壁面を傷付けることなく、重量物を懸吊でき、単なる無機的なフックでなく、見ただけで懸吊してみたくなるような遊び心を持った壁掛けフックを実現することが課題である。【解決手段】本発明に係る磁気的吸引力で取り付ける壁掛けフックにおいてにおいては、壁掛けフックと壁面が接する部分を表面摩擦係数の大なる材料で覆い、フック部の荷重点より下部に取り付け部構造体を配置することにより重量のある懸吊物を懸吊することを可能としている。また、フック部の角度可変機構の採用、磁石取り付け位置と形状考慮により通常使用でははがれにくいが、位置移動時には剥がし易いという解決手段を用いている。【選択図】図１
2016116677.tif 000002
【特許請求の範囲】
【請求項１】
磁性体を有して構成される壁面に吸着できる磁石を該壁面側であるフック壁面部に内蔵し、該壁面と離隔する側に物体を懸垂する懸垂部を有するフック取付け体と、
前記磁石表面及び前記フック取付け体が前記壁面に接する表面を挟み込みもしくはコーティングする摩擦表面部と、
前記フック取付け体の懸垂部より水平位置下側で前記フック壁面部の下部を構成する剥離対抗部と
を備えたことを特徴とする前記磁力吸引力を用いて取り付ける壁掛けフック。
【請求項２】
請求項１記載の壁掛けフックにおいて、前記懸垂部の荷重点より前記壁面に対してほぼ垂直位置より下方にフック取付け体の構造体があることを特徴とする壁付けフック。
【請求項３】
請求項１もしくは２記載の壁掛けフックにおいて、前記懸垂部は腕型形状をなし、該懸垂部を構成するひじ関節相当部分の角度を可変にしたことを特徴とする壁付けフック。
【請求項４】
請求項１乃至３のいずれか１項記載の壁掛けフックにおいて、前記フック取付け体に壁面を押す螺合機構を付けることを特徴とする壁掛けフック。
【請求項５】
請求項１乃至４のいずれか１項記載の壁掛けフックにおいて、前記磁石の見付面における上方の幅が下方の幅よりも広いことを特徴とする壁掛けフック。
【請求項６】
請求項１乃至５のいずれか１項記載の壁掛けフックにおいて、前記フック取付け体の下方にある前記剥離対抗部を構成する構造体に指掴みのための突起或いは窪みを有することを特徴とする壁掛けフック。
【請求項７】
請求項１乃至６のいずれか１項記載の壁掛けフックにおいて、前記懸垂部にバネ巻取りのワイヤあるいは細紐ユニットを内蔵させることを特徴とする壁掛けフック。
【発明の詳細な説明】
【技術分野】
【０００１】
本発明は、鋼板等の磁性体壁面に取り付ける、裏面に強力永久磁石を封入し、磁気吸引力を用いて取り付ける壁掛けフックに関するものである。
【背景技術】
【０００２】
従来、磁性体の壁面にフックを取り付ける場合、硬い壁面に取り付け穴を開けたり、ネジタップを付けなければならず、一般ユーザが取り付け工事をするのは大変難しい。
【０００３】
また、一旦取付けをした後、位置を移動するには再度取り付け工事をしなければならず、移動した後は取り付け穴がそのまま残ってしまう。
【０００４】
そこで、磁性体の壁面に永久磁石で磁気吸引保持され、該永久磁石或いは永久磁石を収容するケースに付したフックに衣類や小物を懸吊する壁掛けフックが用いられている。この場合、磁石や磁力を集中させるためのヨークをむき出しのままで壁面に吸引させれば吸引力は最大になる。しかし、磁石やヨーク表面の摩擦係数は大きくないため、フックにかけた荷物の重量により、壁掛けフックがずり落ちて壁面表面を傷つける場合があった。
【０００５】
このような問題点を解決するため、特許文献１では永久磁石表面をゴム、ウレタン等の摩擦係数の大きい薄膜で覆い、ずり落ち防止と共に壁面の表面を傷付けない技術思想が開示されている。
【０００６】
しかし、該特許文献１の図４の通り、フックを壁面から離すと、フックに懸吊される被懸吊物の荷重点が壁面から離れ、永久磁石を壁面から引き離そうとする力が強くなってしまう。
【０００７】
また、フックの形状は無機質なもので、室内装飾や使い心地といった面での考慮が十分とは言えないものである。
【０００８】
さらに、近年、永久磁石の発達で、ネオジウム磁石のような大変強力な磁力を有する磁石が開発され、フックの保持力は大幅に増したが、逆に剥がし辛いという場合も生ずることとなった。
【先行技術文献】
【特許文献】
【０００９】
【特許文献１】実開平６−２６６５５号公報
【発明の概要】
【発明が解決しようとする課題】
【００１０】
前述のように、鋼板等の磁性体壁面に取り付ける、裏面に強力永久磁石を封入し、磁気吸引力を用いて取り付ける壁掛けフックは、多くが実用本位で装飾性や使い心地といった面が考慮されてこなかった。
【００１１】
近年、ネオジウム磁石のような非常に強力な永久磁石が入手できるようになり、これらを用いた壁掛けフックがずれることにより壁面を痛めたり、壁面から剥がし難いという課題が新しく発生してきた。
【００１２】
また、永久磁石が強力になってきても、フック部の荷重点が壁面から離れると、壁面から永久磁石を剥がそうとするモーメントが大きくなり、フック部に懸吊する被懸吊物の重量が制限されてしまう。
【課題を解決するための手段】
【００１３】
上記のような各課題を解決するために、本発明に係る腕型壁掛けフックにおいては、フック部をアニメや漫画のキャラクターを模した腕型とし、従来の無機質なフックにちょっとしたユーモアや、装飾要素を付加している。また、壁面を傷付けないよう、永久磁石或いはヨークが壁面に接触する部分には、シリコンゴムの様な摩擦抵抗の大きい薄膜を介する。
【００１４】
また、フック部が壁面からはがされる方向のモーメントを発生しないよう、フック荷重点より下部にフック取付け部の構造体を配置し、フック部に懸吊した被懸吊物の重量によってフック取付け部を壁面に押しつけるモーメントとなり、永久磁石が剥がされることを防止している。
【００１５】
上記のような解決手段で被懸吊物の重量によって剥がされにくくなったのは良いが、フックの取付け場所を変えたい時には剥がし辛いという課題が出てくる。この解決手段として、永久磁石にネジ穴を開け、そこにネジをねじ込むことにより、永久磁石を壁面から離反させることができる。
【００１６】
また、別の方法として、永久磁石をフック取付け部の上方に配置し、且つ永久磁石の形状を上方の幅が下方より広くする。更に、上記構造体の下部に突起或いは窪みを付け、この部分を指でつかんで壁面から持ち上げられる構造とすることにより、フック取付け部を引くことにより、梃子の原理で容易に本発明の腕型壁掛けフックを壁面より剥がすことができる。
【発明の効果】
【００１７】
本発明の腕型壁掛けフックを用いることにより、壁から突き出た腕は楽しげで、特に子供は面白がって帽子やカバンを投げ散らさず、フックに掛けるため、整理整頓のしつけに役立てるという新しい効果を発揮する。
【００１８】
もちろん、永久磁石を含む腕型と壁面間にシリコンゴムの様な摩擦抵抗の大なる薄膜を介することにより、壁面を傷つけることなくフックを取付けることができる。
【００１９】
また、フック荷重点より下に構造体を設けることにより、フックに係る被懸吊物の重量を、壁面を押さえる方向のモーメントに代えることにより、より重い被懸吊物をフックに懸吊することができる。
【００２０】
更に、前記構造体下部を指でつかんで持ち上げることにより、梃子の原理で比較的容易に壁掛けフックを壁面から剥がすことができる。
【００２１】
上記のごとき梃子の原理で容易にフックを壁面から剥がすこともできる一方、永久磁石部に貫通ネジを設け、ネジを回転させて壁面を押すことによっても容易にフックを壁面から剥がすことができる。
【図面の簡単な説明】
【００２２】
【図１】本発明の一実施形態に係る腕型壁掛けフックの２つの実施例を示す概略図である。
【図２】従来の壁掛け型フックの一例を示す説明図である。
【図３】本発明の一実施形態に係る腕型壁掛けフックの一実施例の断面図である。
【図４】本発明の一実施形態に係る腕型壁掛けフックのフック角度可変方法の説明図である。
【図５】本発明の一実施形態に係る腕型壁掛けフックの磁石形状と埋め込み位置を示す説明図である。
【図６】本発明の一実施形態に係る腕型壁掛けフックの離反方法の説明図である。
【図７】本発明の一実施形態に係る腕型壁掛けフックの別の離反方法の説明図である。
【図８】本発明の一実施形態に係る腕型壁掛けフックに内蔵するバネ巻取り式ワイヤボビンの説明図である。
【発明を実施するための形態】
【００２３】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２４】
図１は本発明の一実施形態に係る腕型壁掛けフックの概略図であり、人間の肩の部分から胴体の一部を含むフック取付け部と、上腕、ひじを曲げた腕によるフック部及びフック取付け部に埋め込まれた永久磁石から構成されている。図１ａは筋骨隆々とした腕の例で、如何にも強い力で懸吊物を懸吊させてくれそうな安心感を与える。図１ｂは漫画やアニメのキャラクターの腕を模した腕の例で、漫画やアニメにくわしい方にはちょっとしたユーモアや遊び心を与えることができる。
【００２５】
図２は、通常の壁掛けフックの一例で、特許文献１の図４に示すように、通常の壁掛けフック２０のフック荷重点２４を壁面から離すと、フック取付け部２１の下端２６に対するモーメントによって取付け部を引き剥がす力を生じてしまう。
【００２６】
図３は、本発明の一実施形態に係る腕型壁掛けフックの一実施例３０の断面図を示す概略図である。フック取付け部３１には腕型フック３２が一体化されており、該取付け部３１と該取付け部に埋め込まれた磁石３３が壁面３９と接する部分は、シリコンゴムのような表面摩擦係数の大きい材料３４で被覆されている。なお、図３の例では磁石３３を材料３４で全面被膜しているが、壁面３９と接する部分のみを被膜するだけでよいのはもちろんである。
【００２７】
また、腕型フック３２の荷重点３５から壁面３９への垂直位置３７より下部に腕を支える胴体下部を模した下部構造体３６がフック取付け部３１と一体化されている。かくのごとき構造とすると、腕型フック部３２に掛けられた懸吊物の荷重３８はフック取付け部下部構造体３６の下部を壁面３９に押し付けるモーメントとなる。このため、表面摩擦係数の大きい材料３４と相まって、腕型壁掛けフックはずり落ちたり剥がれたりし難くなり、従来より大きい重量の懸吊物を懸吊することができる。
【００２８】
本発明の壁掛けフックにおいては、腕型フックのひじの角度を変動可能としている。図４（ａ）はその一例で、ひじの部分を２分し、ひじ４１ａにはひじ支点にねじ穴４２ａを開け、ねじ穴４２ａを中心とした円周上の特定角度毎に複数のピン穴４３ａを開けておく。他方のひじ部分４１ｂのひじ支点部には前記ねじ穴４２ａに相当するねじ穴４２ｂを開け、該ねじ穴４２ｂから前記円周に等しい距離にピン穴４３ｂを開ける。
【００２９】
上記腕型フックの組み立ては、一方のひじ４１ａに他方のひじ４１ｂをねじ穴４２ａ，４２ｂが一致するよう重ね、ねじ４４にて両者を結合し、ピンまたはねじ４５を差し込むことにより腕の角度を任意に設定できる。
【００３０】
図４（ｂ）は、腕型フックのひじ角度変更の別の例で、上記例と同様に腕型フックをひじの部分で２つに分割し、一方のひじ４６ａの支点中央にはねじ穴４７ａを開け、該ねじ穴４７ａを中心に放射状にのこぎりの刃状に刻み４８ａを設け、他方のひじ４６ｂにはねじ穴４７ｂを中心に４８ａとは逆ののこぎり刃状刻み４８ｂを設け、ひじ４６ａ、４６ｂを合わせ、ねじ４９によって任意の角度で固定することができる。
【００３１】
図４（ａ）、（ｂ）は本発明の腕型壁掛けフックの腕角度の設定方法の例であるが、上記２例以外にも同様な方法でひじ角度を可変にする方法が考えられる。それ等は、全て本発明の技術思想に含まれるものである。
【００３２】
上記の説明の通り、フック部の荷重点より下部にフック取付け部の構造体を設けることによりフック取付け部が剥がれ難くなった。しかし、永久磁石を縦長にするとフック部に横向きの力を加えた時に剥がれ易くなってしまう。そのため本発明５０においては、図５の如く、フック取付け部５１の上方、横幅の広い肩の部分から下方に向けて、図５においては逆三角形の永久磁石５２を埋め込んだ例を示している。
【００３３】
かくのごとく構成することにより、永久磁石５２の幅の広い上辺部によって、フック部５３に横向きの力５４が加わっても剥がれ難くなる。なお、逆三角形の様な上辺の幅が広く下方の幅が狭い永久磁石をフック取付け部の上方につける理由については後述する。
【００３４】
上記までは、フック取付け部が壁面から剥がれ難くなる方法について説明してきた。しかし、最近の強磁力の磁石の利用と相まって、逆に剥がしたい時に剥がし難くなるという場合が生じる。図６は、強力磁石を剥がす一方法を示す断面図で、磁石６３にねじ穴６４を設け、該ねじ穴６４に嵌合するねじ６５をねじ込むことにより磁石６３を壁面６６から容易に離反させることができる。もちろん、壁面６６を傷つけないよう、ねじ６５の先端はシリコンゴム等で覆っておく。
【００３５】
更に、図７は上記と同じく強力磁石を容易に剥がす別の技術手法の説明図である。図５において前述したとおり、永久磁石７２はフック取付け部７１の上方に取付けられているため、フック取付け部の下部を図７の矢印７４の方向に持ち上げようとすると梃子の原理で永久磁石が剥がれ易くなる。また、永久磁石７２の形状を、逆三角形のように上辺の幅が広く下方を狭くしておくと、フック取付け部の下部を持ち上げる力に対して、より剥がし易くなる。
【００３６】
図７では、フック取付け部の下部に持ち上げ易いよう突起７３を付けた例を示している。もちろん突起の代わりに窪みを付けて持ち上げ易くしてもよい。かくの如き本発明の構造による腕型壁掛けフックは、上述してきた通り、滑り落ち難く、腕型フックを横に押す力に強い一方、フック取付け部の下部をつまんで引き上げれば容易に壁面から剥がすことができるという特徴を有することとなる。
【００３７】
図８ａは、バネ巻取り式のワイヤボビンまたは細紐ボビン８２を腕型フック８１の内部に設置した例であり、腕型フックの側面にワイヤ掛け８３を設けている。本発明例の使用方法は、図８ｂに示すように、図８ａの腕型壁掛けフックを２個用い、フック間を内臓のワイヤまたは細紐８４で結び、そのワイヤにハンカチ等の小物８５を掛けることができる。もちろん、ワイヤを使用しない時はワイヤを外して巻き込んでおけば邪魔になることはない。
【００３８】
本願に係る発明は上述した実施形態に限定されることなく、同一の技術思想の範囲内で種々の変更、拡大、置換、削除等を許容するものであり、それらすべては本願発明の技術思想としての範囲に含まれるものである。たとえば上記においては、フック取付け部に埋め込まれた永久磁石を開示したが、本願を適用するにあたってはこれに限定されるものではなく、たとえば電磁石を含む磁石一般であってもよい。
【産業上の利用可能性】
【００３９】
本発明はフック本来の懸吊物を懸吊するという機能ばかりでなく、その遊び心によって、子供部屋の壁掛けフックや学校の壁掛けフックなどに使用すれば、子供たちが楽しく喜んで色々な懸吊物を懸吊し、整理整頓に役立てることができる。
【００４０】
また、フックの角度変更機能や内臓のワイヤを利用して、ハンカチのような布を広げて掛けたり、複数の本発明壁掛けフックを用いて長尺物を掛けたりすることができ、従来懸吊をし難かった懸吊物も懸吊することが可能になる。
【００４１】
上記までの説明においては、人間の腕型を模した例について説明してきたが、人間以外の動物や架空の生物等、本発明は広く応用できるものである。
【符号の説明】
【００４２】
２０…従来の壁掛けフック、２１…フック取付け部、２２…フック、２３…磁石、２４…荷重点、２５…荷重、２６…フック取付け部下端、２７…壁面、３０…本発明の壁掛けフック、３１…フック取付け部、３２…フック、３３…磁石、３４…材料、３５…荷重点、３６…構造体、３７…垂直位置、３８…荷重、３９…壁面、４１ａ…ひじ、４１ｂ…ひじ、４２ａ…ねじ穴、４２ｂ…ねじ穴、４３ａ…ピン穴、４３ｂ…ピン穴、４４…ねじ、４５…ピン、４６ａ…ひじ、４６ｂ…ひじ、４７ａ…ねじ穴、４７ｂ…ねじ穴、４８ａ…のこぎり刃状刻み、４８ｂ…のこぎり刃状刻み、４９…ねじ、５０…本発明の壁掛けフック、５１…フック取付け部、５２…磁石、５３…フック部、５４…横向き力、６０…本発明の壁掛けフック、６１…フック取付け部、６２…フック部、６３…磁石、６４…壁面、６４…ねじ穴、６５…ねじ、７０…本発明の壁掛けフック、７２…フック取付け部、７２…磁石、７３…突起、７４…剥がし力方向、８０…本発明の壁掛けフック、８１…フック部、８２…バネ巻取り式ワイヤボビンまたは細紐ボビン）、８３…ワイヤ掛け、８４…ワイヤまたは細紐
【図１】
2016116677.tif 000003
【図２】
2016116677.tif 000004
【図３】
2016116677.tif 000005
【図４】
2016116677.tif 000006
【図５】
2016116677.tif 000007
【図６】
2016116677.tif 000008
【図７】
2016116677.tif 000009
【図８】
2016116677.tif 000010
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
上腕及びひじを曲げて略Ｖ字状とした腕を模した形状を有し前記Ｖ字の谷部が物体を懸垂するフック部と、
磁性体を有して構成される壁面に対して接する面を有する永久磁石を内蔵し、前記フック部の基端に該フック部と一体化されて構成され人体の肩から胴体の一部にかけて連続する形状を模した形状を一端側に有し他端側は前記壁面に対して接する面を有するフック取付け部と、
前記フック部の物体を懸垂する場合の荷重点より水平位置下側の垂直位置にまで延伸するように前記フック取付け部と一体化されて構成され前記人体の胴体下部を模した形状を一端側に有し他端側は前記壁面に対して接する面を有する下部構造体と、
前記永久磁石の前記壁面に対して接する面、前記フック取付け部の前記壁面に対して接する面、前記下部構造体の前記壁面に対して接する面に摩擦抵抗の大なる薄膜が介されもしくは摩擦抵抗の大なる物質が被膜されて形成される摩擦表面部と
を備えたことを特徴とする前記永久磁石の磁力吸引力を用いて取り付ける壁掛けフック。
【請求項２】
前記フック取付け部に係る人体の肩から胴体の一部にかけて連続する形状を模した形状と前記フック部に係る上腕及びひじを曲げて略Ｖ字状とした腕を模した形状が漫画もしくはアニメのキャラクタの腕周辺を模した形状であることを特徴とする請求項１記載の壁掛けフック。
【請求項３】
前記略Ｖ字状とした腕を模した形状を構成するひじ関節相当部分の角度を可変にしたことを特徴とする請求項１又は２記載の壁付けフック。
【請求項４】
前記フック取付け部に壁面を押す螺合機構が付けられることを特徴とする請求項１乃至３のうち１項記載の壁掛けフック。
【請求項５】
前記永久磁石の前記壁面に対して接する面の形状において、上方の幅が下方の幅よりも広いことを特徴とする請求項１乃至４のうちいずれか１項記載の壁掛けフック。
【請求項６】
前記下部構造体に指掴みのための突起或いは窪みを有することを特徴とする請求項１乃至５のうちいずれか１項記載の壁掛けフック。
【請求項７】
前記フック部にバネ巻取り式のワイヤボビンあるいは細紐ボビンを内蔵させることを特徴とする請求項１乃至６のうちいずれか１項記載の壁掛けフック。